(57)【特許請求の範囲】
【請求項１】
各スチームトラップの点検情報をスチームトラップの特定情報及び取付箇所を表す配置情報と対応付けてリストの形態で記憶する第１記憶手段と、第１記憶手段に取り込まれた各スチームトラップの点検情報を用いてスチームトラップについての集計、分析処理を実行する集計分析処理手段とを備えたスチームトラップ管理装置において、少なくともスチームトラップの特定情報及び取付箇所を表す配置情報の項目を有し、スチームトラップの取付に関する変更情報をリストの形態で記憶する第２記憶手段と、前記集計分析処理手段による処理が終了したことを判断する終了判定手段と、前記終了判定手段からの終了判断を受けて、第２記憶手段に記憶されている変更情報分を第１記憶手段のリストに付加する書換手段とを備えたことを特徴とするスチームトラップ管理装置。
【請求項２】
データ保存用の第３記憶手段と、前記書換手段の実行時に、前記第１記憶手段の記憶内容を第３記憶手段に格納すると共に、前記第１記憶手段のうちの点検情報部分及び第２記憶手段の記憶内容を消去する切換手段とを備えたことを特徴とする請求項１記載のスチームトラップ管理装置。
【請求項３】
前記切換手段は、前記第１記憶手段の記憶内容を前記書換手段の実行前に第３記憶手段に格納する第１切換手段と、前記第１切換手段が実行された後に、前記第１記憶手段のうちの点検情報部分及び第２記憶手段の記憶内容を消去する第２切換手段とからなることを特徴とする請求項２記載のスチームトラップ管理装置。
【請求項４】
計時手段と、上記切換手段による各動作が実行された時間情報を保持する実行時間記憶手段を備えたことを特徴とする請求項２又は３記載のスチームトラップ管理装置。
【請求項５】
スチームトラップの作動状態を測定する測定装置と通信手段を介して点検情報及び点検時間情報とが受信可能に構成され、受信した各スチームトラップの点検時間情報と前記実行時間記憶手段の時間情報との前後を判断する前後判断手段と、前記点検時間の方が早いときに警告を行う警告手段とを備えたことを特徴とする請求項４記載のスチームトラップ管理装置。
【請求項６】
各スチームトラップの点検情報をスチームトラップの特定情報及び取付箇所を表す配置情報と対応付けてリストの形態で記憶する第１記憶手段と、第１記憶手段に取り込まれた各スチームトラップの点検情報を用いてスチームトラップについての集計、分析処理を実行する集計分析処理手段とを備えたスチームトラップ管理装置において、少なくともスチームトラップの特定情報及び取付箇所を表す配置情報の項目を有し、スチームトラップの取付に関する変更情報をリストの形態で記憶する第２記憶手段と、データ保存用の第３記憶手段と、前記特定情報及び前記配置情報のみを記憶するバッファ用の第４記憶手段と、第１記憶手段の記憶内容を前記第４記憶手段に複製する複写手段と、前記集計分析処理手段による処理が終了したことを判断する終了判定手段と、前記終了判定手段からの終了判断を受けて、第２記憶手段に記憶されている変更情報分を第４記憶手段のリストに付加する書換手段と、前記終了判定手段からの終了判断を受けて、前記第１記憶手段の記憶内容を前記書換手段の実行前に第３記憶手段に格納する切換手段と、前記切換手段が実行された後に第４記憶手段の記憶内容で第１記憶手段の記憶内容を置換する置換手段とを備えたことを特徴とするスチームトラップ管理装置。
【請求項７】
計時手段と、上記切換手段及び置換手段による各動作が実行された時間情報を保持する実行時間記憶手段を備えたことを特徴とする請求項６記載のスチームトラップ管理装置。
【請求項８】
スチームトラップの作動状態を測定する測定装置と通信手段を介して点検情報及び点検時間情報とが受信可能に構成され、受信した各スチームトラップの点検時間情報と前記実行時間記憶手段の時間情報との前後を判断する前後判断手段と、前記点検時間の方が早いときに警告を行う警告手段とを備えた請求項７記載のスチームトラップ管理装置。
【発明の詳細な説明】
【０００１】
【発明の属する技術分野】
本発明は、スチームトラップを保守管理するための技術に関する。
【０００２】
【従来の技術】
従来、多くの工場において、スチームトラップの不良化に伴うプラントの運転効率の低下や無駄な蒸気漏れ損失を防止することによるスチームトラップの保守管理を目的として定期的な点検作業が実施されている。とりわけ、数百から数千ものスチームトラップを保有する大規模なプラントでは、１〜２回／年の割合で点検作業が実施されており、各点検時期には点検作業を通してそれぞれのスチームトラップの点検結果を得ると共に該点検結果を利用して集計、分析結果を得、これらの各結果を元に交換対象等となるスチームトラップの選択支援を行っている。
【０００３】
一回の点検期間は、工場規模により異なるものの、１〜２週間から３ヶ月程度を要し、かつスチームトラップ数も膨大であるため、従来は振動センサを有する測定器、及び点検結果を一括で格納し、集計・分析処理などを行うホストコンピュータを備えた効率的な管理システムが提案されている（特許第２９５４１８３号公報）。
【０００４】
この管理システムによる管理手順を簡単に説明すると、まず、現実に取付られているスチームトラップのそれぞれを識別するための情報を有するトラップリストを管理台帳としてホストコンピュータに登録し、次いで、測定器で各スチームトラップの作動状態を点検し、その結果を一時的に保存する。点検結果は点検作業後に逐一管理台帳に入力される。すべてのスチームトラップの点検が終了すると、不良率の算出や、蒸気漏れのあるものについてはその蒸気漏れ量の算出、及びそれらの集計等の各処理を行う。不良と診断されたスチームトラップの交換、不要なスチームトラップの撤去、または必要箇所への新規取付（以下、交換等という）が実施されると、それらに従い、管理台帳の内容も更新される。
【０００５】
【発明が解決しようとする課題】
ところで、一回の点検期間における点検結果の集計、分析は、前回の点検時から今回の点検時までの間の各スチームトラップの経時変化等を分析することで、不良率、蒸気漏れ損失の変化状況を提示することを目的とする。しかしながら、従来の管理システムにおける集計分析等の管理作業は、１つの管理台帳を基に行っているため、以下の問題がある。すなわち、スチームトラップの交換等（交換、撤去、新規取付）は点検期間中に実施されることがあり、この場合、交換等されたスチームトラップの情報を取り込んだ管理台帳で集計分析処理を行ってしまうと、前述した集計分析の目的が果たせないこととなる。また逆に、交換等されたスチームトラップの情報の取り込み前における管理台帳で集計分析処理を行った場合、その後、交換等されたスチームトラップの情報の取り込み（更新）作業を忘れたりすることもある。
【０００６】
また、点検期間に得られた点検結果及びそれらの集計分析データは、スチームトラップの管理履歴として点検期間毎に保管することが要求される。しかしながら、集計分析記録を残さないまま、交換等による管理台帳の更新が行われてしまうと、更新前の点検結果等が抹消され、或いは更新前の点検結果に基づく集計分析作業が再現できなくなり、過去における各管理データとの対比等を通じて解析される管理効果の評価ができなくなる。
【０００７】
本発明は、上記問題を解決するためになされたものであり、スチームトラップの管理処理をより的確に行うことのできるスチームトラップの管理装置を提供することを目的とするものである。
【０００８】
【課題を解決するための手段】
上記課題を解決するために、本発明の請求項１は、各スチームトラップの点検情報をスチームトラップの特定情報及び取付箇所を表す配置情報と対応付けてリストの形態で記憶する第１記憶手段と、第１記憶手段に取り込まれた各スチームトラップの点検情報を用いてスチームトラップについての集計、分析処理を実行する集計分析処理手段とを備えたスチームトラップ管理装置において、少なくともスチームトラップの特定情報及び取付箇所を表す配置情報の項目を有し、スチームトラップの取付に関する変更情報をリストの形態で記憶する第２記憶手段と、前記集計分析処理手段による処理が終了したことを判断する終了判定手段と、前記終了判定手段からの終了判断を受けて、第２記憶手段に記憶されている変更情報分を第１記憶手段のリストに付加する書換手段とを備えたことを特徴とするものである。
【０００９】
この構成によれば、少なくともスチームトラップの特定情報及び取付箇所を表す配置情報の項目を有し、スチームトラップの取付に関する変更情報がリストの形態で第２記憶手段に記憶され、集計分析処理手段による処理が終了したことが終了判定手段により判断され、前記終了判定手段からの終了判断を受けて、第２記憶手段に記憶されている変更情報分が第１記憶手段のリストに書換手段により付加されることにより、今回点検による集計分析作業終了後に次回点検で使用するための管理台帳が作成される。したがって、交換等がいつ実施されても今回点検記録を保持する管理台帳を変更することなく、速やかに交換等後の情報が記録される。
【００１０】
さらに、請求項２のように、データ保存用の第３記憶手段と、前記書換手段の実行時に、前記第１記憶手段の記憶内容を第３記憶手段に格納すると共に、前記第１記憶手段のうちの点検情報部分及び第２記憶手段の記憶内容を消去する切換手段とを備えれば、今回点検の管理台帳が過去の管理台帳（バックアップ）として第３記憶手段に確実に保持されるとともに、作動判定記録を消去した次回点検のための管理台帳が作成されることにより、今回点検の作動判定記録が混在したままで次回点検の集計分析処理が行われることが回避される。このような操作が要求されるのは、毎回、全てのスチームトラップについて点検されるとは限らないからである。
【００１１】
さらに、請求項３は、スチームトラップの交換等が実際の点検期間後に行われる場合が多いことを特に考慮したものであって、この請求項３のように、前記切換手段は、前記第１記憶手段の記憶内容を前記書換手段の実行前に第３記憶手段に格納する第１切換手段と、前記第１切換手段が実行された後に、前記第１記憶手段のうちの点検情報部分及び第２記憶手段の記憶内容を消去する第２切換手段とからなることとすれば、集計分析作業を終え、管理台帳を過去の台帳として保管した後も交換等されたスチームトラップの記憶を継続し、それらの情報による管理台帳の更新が可能となる。
【００１２】
さらに、請求項４のように、計時手段と、上記切換手段による各動作が実行された時間情報を保持する実行時間記憶手段を備えれば、上記切換手段による各動作の実行された時間情報が保持される。
【００１３】
さらに、請求項５のように、スチームトラップの作動状態を測定する測定装置と通信手段を介して点検情報及び点検時間情報とが受信可能に構成され、受信した各スチームトラップの点検時間情報と前記実行時間記憶手段の時間情報との前後を判断する前後判断手段と、前記点検時間の方が早いときに警告を行う警告手段とを備えれば、測定装置から個々のスチームトラップの点検結果を受信する際、切換手段が保持している該切換手段の実行時間情報より以前の点検時間情報となっている点検結果を受信したときは、そのスチームトラップについて警告がなされ、作業者に点検日の修正等の機会が与えられる。これは、特に測定装置に前回の点検結果が消去されずに残っている場合、それを無条件に受信して今回点検結果としてしまうことが防止される。
【００１４】
また、請求項６は、各スチームトラップの点検情報をスチームトラップの特定情報及び取付箇所を表す配置情報と対応付けてリストの形態で記憶する第１記憶手段と、第１記憶手段に取り込まれた各スチームトラップの点検情報を用いてスチームトラップについての集計、分析処理を実行する集計分析処理手段とを備えたスチームトラップ管理装置において、少なくともスチームトラップの特定情報及び取付箇所を表す配置情報の項目を有し、スチームトラップの取付に関する変更情報をリストの形態で記憶する第２記憶手段と、データ保存用の第３記憶手段と、前記特定情報及び前記配置情報のみを記憶するバッファ用の第４記憶手段と、第１記憶手段の記憶内容を前記第４記憶手段に複製する複写手段と、前記集計分析処理手段による処理が終了したことを判断する終了判定手段と、前記終了判定手段からの終了判断を受けて、第２記憶手段に記憶されている変更情報分を第４記憶手段のリストに付加する書換手段と、前記終了判定手段からの終了判断を受けて、前記第１記憶手段の記憶内容を前記書換手段の実行前に第３記憶手段に格納する切換手段と、前記切換手段が実行された後に第４記憶手段の記憶内容で第１記憶手段の記憶内容を置換する置換手段とを備えたことを特徴とするものである。
【００１５】
この構成によれば、管理を徹底させるため、点検開始時点において存在する全てのスチームトラップのリストが第１記憶手段と第４記憶手段の２箇所に記憶される。すなわち、少なくともスチームトラップの特定情報及び取付箇所を表す配置情報の項目を有し、スチームトラップの取付に関する変更情報がリストの形態で第２記憶手段に記憶され、第３記憶手段と、第４記憶手段と、第１記憶手段の記憶内容のうちの点検情報を持たない特定情報及び配置情報のみがバッファ用の第４記憶手段に複写手段により複製され、集計分析処理手段による処理が終了したことが終了判定手段により判断され、前記終了判定手段からの終了判断を受けて、第２記憶手段に記憶されている変更情報分が第４記憶手段のリストに書換手段により付加される。また、前記終了判定手段からの終了判断を受けて、前記第１記憶手段の記憶内容が前記書換手段の実行前にデータ保存用の第３記憶手段に切換手段により格納され、前記切換手段が実行された後に第４記憶手段の記憶内容で第１記憶手段の記憶内容が置換手段により置換される。これにより、次回点検のための新たな管理台帳が得られる。このように点検開始時において、管理対象となる全スチームトラップの情報が第４記憶手段に記憶されることにより、点検期間中に第１記憶手段に誤った入力がなされても第１切換手段の動作前に両者を比較することにより誤りが容易に発見され修正されうる。
【００１６】
さらに、請求項７のように、計時手段と、上記切換手段及び置換手段による各動作が実行された時間情報を保持する実行時間記憶手段を備えれば、上記切換手段による各動作の実行された時間情報が保持される。
【００１７】
さらに、請求項８のように、スチームトラップの作動状態を測定する測定装置と通信手段を介して点検情報及び点検時間情報とが受信可能に構成され、受信した各スチームトラップの点検時間情報と前記実行時間記憶手段の時間情報との前後を判断する前後判断手段と、前記点検時間の方が早いときに警告を行う警告手段とを備えれば、測定装置から個々のスチームトラップの点検結果を受信する際、切換手段が保持している該切換手段の実行時間情報より以前の点検時間情報となっている点検結果を受信したときは、そのスチームトラップについて警告がなされ、作業者に点検日の修正等の機会が与えられる。これは、特に測定装置に前回の点検結果が消去されずに残っている場合、それを無条件に受信して今回点検結果としてしまうことが防止される。
【００１８】
【発明の実施の形態】
（実施形態１）
図１は、本発明に係るスチームトラップ管理システムを示す概略構成図である。このスチームトラップ管理システムは、スチームトラップの蒸気漏れ等の性能を検査する測定装置１と検査結果の分析集計のための、例えば汎用コンピュータからなるホストコンピュータ（スチームトラップ管理装置）２とを備えており、作業者が測定装置１を携帯してプラントの蒸気配管系各所に設けられたスチームトラップの作動状態を検査し、検査終了後に、有線又は無線の伝送手段を介して測定装置１とホストコンピュータ２とを接続し、少なくとも測定装置１からホストコンピュータ２へ点検データを伝送し得るように構成されている。
【００１９】
図２は、スチームトラップ管理システムの実施形態１を示すブロック図である。測定装置１は振動センサ（必要に応じて温度センサ）を備えた計測器１１と、この計測器１１とケーブルで接続された処理器１２とからなる。計測器１１はスチームトラップの表面適所に当接させてスチームトラップの弁の振動状態（レベル）を検出するものである。処理部１２１は計測器１１からの検出結果に所定のデータ処理を施して、例えばスチームトラップの性能劣化値（特許第２９５４１８３号公報参照）などの点検データとして求めるものである。メモり１２２は点検データを後述するエリア名、識別番号等と対応づけて一時的に記憶するものである。通信部１２３は所望個数（作業時間やメモリ１２２の容量を考慮）のスチームトラップに対する点検が終了した後に、メモリ１２２に記憶されている点検データをエリア名、識別番号等と対応づけてホストコンピュータ２に送信するためのものである。管理部１２０は上記各部の動作制御を統括するためのＣＰＵ等からなるものである。
【００２０】
また、測定装置１は作業者がスチームトラップの点検や管理に必要な情報を入力するための複数のキーを備える入力部１２４と、入力案内、入力内容の確認、また処理部１２１からの処理結果の表示のための例えば液晶表示器からなる表示部１２５とを備えている。
【００２１】
なお、本発明において、点検や管理に必要な情報として、検査対象となるスチームトラップが取り付けられているエリア名（取付区画）、スチームトラップの取付位置と対応付けられた識別番号（トラップNo．）、作動原理で分類されるスチームトラップのタイプ名、メーカー型式（製品名）および使用蒸気圧力等が採用されており、ここに、エリア名（取付区画）及び識別番号（トラップNo．）は配置情報として機能し、タイプ名及びメーカー型式（必要に応じて、さらに使用蒸気圧力）は特定情報として機能する。
【００２２】
ホストコンピュータ２は、上記測定装置１との通信のための通信部２１と、各種リストを作成するためのデータ管理部２２と、スチームトラップの蒸気漏れ量の演算、集計、分析等のための集計分析部２３を備えると共に、ホストコンピュータ２を統括制御するためのＣＰＵ等からなる管理部２０を備え、通信部２１、データ管理部２２及び集計分析部（集計分析処理手段）２３等の動作を統括制御するようにしている。また、ホストコンピュータ２はＣＲＴディスプレイ等の表示部２４と、マウス、キーボード等からなる入力部２５とを備えている。
【００２３】
データ管理部２２は、所要の項目欄を有するトラップ管理台帳（図３参照）の各行毎に所要のデータを入力する第１入力部２２１と、このトラップ管理台帳を格納する第１記録部（第１記憶手段）２２２とを有している。第１入力部２２１は測定装置１から通信部２１を介して転送されてきた各スチームトラップのエリア名、識別番号の配置情報含む点検データをトラップ管理台帳のエリア名、識別番号と参照して、該当するエリア名及び識別番号の行に対し、該当する項目欄に点検データを書き込むようにするものである。
【００２４】
図３に示すトラップ管理台帳は、エリア名、トラップNo．、取付場所、製品名、タイプ、メーカ、圧力等の各スチームトラップの配置情報及び特定情報の各項目欄と、作動判定等の点検情報を記録する各項目欄とからなる。上記配置情報及び特定情報はトラップリスト作成時にユーザにより入力部２５から入力され、点検情報は測定装置１からの受信データに基づいて逐次取り込まれる。
【００２５】
また、データ管理部２２は、交換、新規取付または撤去等（以下、交換等という）されたスチームトラップに対して、所要の項目欄を有する専用の変更台帳を有し、この変更台帳の各行毎に所要のデータを入力する第２入力部２２３と、この変更台帳を格納する第２記録部（第２記憶手段）２２４と、第２記録部２２４に記憶された交換等の変更情報に従い第１記憶部２２２に記憶されているトラップ管理台帳の該当する行の情報を変更する書換部（書換手段）２２５とを有する。第２入力部２２３は交換等されたスチームトラップの配置情報、特定情報を入力して、図４、図５に示すようなトラップリストを作成し、第２記録部２２４に記憶させるものである。
【００２６】
書換部２２５は、第２記録部２２４に記憶されている変更台帳に入力された交換等されたスチームトラップの配置情報、特定情報を第１記録部２２２に追加行として付加等するべく転記するものである。この書き換え処理は、交換されたスチームトラップが交換前の型式すなわち特定情報と異なるものであるときは、交換前の配置情報の行の特定情報の項目欄の内容を更新し、新規取付となるスチームトラップは新たな追加行として付加され、撤去されたスチームトラップに対しては該当する配置情報、特定情報の行自体が削除されることにより行われる。書き換え指示は表示部２４の画面適所に書換実行ボタンを表示させ、この書換実行ボタンを入力部２５のマウスでクリック（指示）することにより行うようにしている。集計分析終了判定部（終了判定手段）２２６は全てのスチームトラップについての点検データを受信した後に行われる所定の集計、分析処理が終了したか否かを判断し、管理部２０に知らせるものである。この集計、分析処理には、第１記憶部２２２のトラップ管理台帳及び必要に応じて集計分析結果の各表（図示せず）を図略のプリンタを用いてプリントアウトする記録用出力処理が含まれていてもよい。
【００２７】
図４は変更台帳のうち、交換された（異型の）スチームトラップのトラップリスト（トラップNo．「００００００３」、「００００００４」、「００００００５」）であり、図５は変更台帳のうち、撤去されたスチームトラップのトラップリスト（トラップNo．「０００００１３」、「０００００１４」、「０００００１５」）であり、それぞれ配置情報と特定情報の項目欄にデータが入力されている。
【００２８】
図６は、図３に示すトラップ管理台帳を、図４と図５に示す変更台帳で書き換えて新たに作成されたトラップ管理台帳を示している。図６に示すように、トラップNo．「００００００３」、「００００００４」、「００００００５」には交換後のスチームトラップが記入されており、一方、トラップNo．「０００００１３」、「０００００１４」、「０００００１５」の行は管理台帳より削除されている。
【００２９】
図７は、ホストコンピュータ２の動作を示すフローチャートである。初回点検にあたり管理する全てのスチームトラップを入力部２５より入力することにより、トラップ管理台帳の作成及び第１記録部２２２への登録が行われる（ステップＳ１）。この後、このトラップリストが測定装置１へ転送され、点検作業が実行され、所定の処理が施された後、点検データ等が通信部２１から受信され、第１入力部２２１を経て第１記録部２２２に取り込まれていく（ステップＳ２）。
【００３０】
全てのスチームトラップの点検終了後（ステップＳ３でＹＥＳ）、不良分析や蒸気漏れ量の算出等の所定の集計分析処理が行われる（ステップＳ４）。集計分析終了判断部２２６により集計分析処理が終了したことが判断されると、次にスチームトラップの交換等が実施されたか否かの問い合わせ画面が表示部２４の画面内所定個所にガイドされる（ステップＳ５）。交換等が実施されておれば、ユーザーからの交換等ありの入力部２５からの入力指示を受けて、交換、新規取付、撤去されたスチームトラップに関する内容が入力部２５から入力され、入力内容は第２記録部２２４に書き込まれる（ステップＳ６）。
【００３１】
次いで、書換部２２５が実行されたか否かが判断される（ステップＳ７）。書換部２２５による動作が実行されると、第２記録部２２４に交換等の情報が存在するか否かが判断され（ステップＳ８）、交換等の情報が存在するときは、まず新規取付されたスチームトラップの有無がチェックされ、新規取付されたスチームトラップが存在すれば第１記録部２２２にそのトラップリストが追加される（ステップＳ９、Ｓ１０）。次に、撤去されたスチームトラップの有無がチェックされ、撤去されたスチームトラップが存在すれば第１記録部２２２からそのトラップリストが削除される（ステップＳ１１、Ｓ１２）。次いで、交換されたスチームトラップの有無がチェックされ、交換されたスチームトラップが存在すればそのトラップリストのエリア名と識別番号すなわち配置情報が同一の第１記録部２２２のトラップリストの情報が第２記録部２２４の同トラップリストの情報に書き換えられる（ステップＳ１３、Ｓ１４）。例えば交換により交換前と異なる型のスチームトラップが取り付けられたときは、第１記録部２２２のトラップリストの特定情報が変更される。交換等の実施時期は一定せず、作業計画やスチームトラップの納期等の関係に依存して行われるため、以後は、入力部２５から終了が指示されるまで（ステップＳ１５でＹＥＳ）、ステップＳ５〜Ｓ１４が繰り返される。
【００３２】
これにより、スチームトラップの交換等による新たな情報がトラップ管理台帳に入力されないので、次回点検までに実施される交換等が全て終了した時点でユーザは書換部２２５によりトラップ管理台帳を更新すればよいこととなる。
【００３３】
（実施形態２）
図８はスチームトラップ管理システムの実施形態２を示すブロック図である。上記実施形態１において、データ保存用の第３記録部（第３記憶手段）２２７と、書換部２２５の実行時に、第１記録部２２２の記憶内容を第３記録部２２７に格納すると共に、第１記録部２２２のうちの点検情報部分及び第２記録部２２４の記憶内容を消去する切換手段とを備えれば、今回点検の管理台帳が過去の管理台帳（バックアップ）として第３記録部２２７に確実に保持されるとともに、作動判定記録を消去した次回点検のための管理台帳が作成されることにより、今回点検の作動判定記録が混在したままで次回点検の集計分析処理が行われることが回避される。このような操作が要求されるのは、毎回、全てのスチームトラップについて点検されるとは限らないからである。実施形態２は、さらに、スチームトラップの交換等が実際の点検期間後に行われる場合が多いことを特に考慮してなされたものであり、以下本実施形態２のシステムについて説明する。
【００３４】
本システムは、測定装置１’とホストコンピュータ２’とからなる。測定装置１’の管理部１２０は、処理器１２の処理部１２１による処理データである個々のスチームトラップの点検データを内蔵する時計部（計時手段）１２６の計時データを利用して得られる点検（診断）日付（時間情報）とともにメモリ１２２に記録させ（日付記録機能１２６ａ）、これらのデータを点検データに含めて通信部１２３からホストコンピュータ２’に送信させるようにしている。
【００３５】
ホストコンピュータ２’の通信部（通信手段）２１’は実施形態１と同様の通信機能に加え、通信部１２３からの診断日付を図略のメモリ部、あるいは図３に示す管理台帳に付加された診断日付の項目（測定日）欄に保存する機能を有している（日付保存機能２１ａ’）。またデータ管理部２２’は、少なくとも実施形態１と同様の機能を有する第１入力部２２１、第１記録部２２２、第２入力部２２３、第２記録部２２４及び書換部２２５、集計分析終了判定部２２６に加え、さらに上記第３記録部２２７と、第１記録部２２２に記憶されたスチームトラップの管理台帳（トラップ管理台帳）を第３記録部２２７に記憶させる第１切換部（切換手段、第１切換手段）２２８ａと、第１記録部２２２に記憶されたトラップ管理台帳の点検情報と第２記録部２２４に記憶された交換等されたスチームトラップのトラップリストの情報とを消去させる第２切換部（切換手段、第２切換手段）２２８ｂとを備え、さらに、日付情報を採用するための時計部２２８ｃと、切換部２２８ａ，２２８ｂによる各切換動作が実行された日付を図略のメモリ部に保持する実行日付保持機能（実行時間記憶手段）２２８ｄと、通信部２１’を介して測定装置１’から受信された各スチームトラップの診断記録のうち診断日付と切換部２２８ａ，２２８ｂによる各動作の最新の実行日付とを比較する日付比較機能（前後判定手段）２２８ｅと、診断日付が切換部２２８ａ，２２８ｂによる各動作の最新の実行日付以前のときに例えば表示部２４での画面表示により警告報知する警告機能（警告手段）２２８ｆとを有している。
【００３６】
さらに、ホストコンピュータ２’の管理部２０は、スチームトラップの点検期間中に書換部２２５、第１切換部２２８ａ及び第２切換部２２８ｂによる各動作が実行されるのを禁止する実行禁止機能２０ａを有している。その他の構成は実施形態１と同様であるので、その説明は省略する。
【００３７】
第１切換部２２８ａ及び第２切換部２２８ｂは、今回の点検管理業務が全て終了した時点で今回の点検データの保存と次回点検のための準備とを確実に行わせるべく、今回の点検データをバックアップ用として第３記録部２２７に新たな図表名を付すなどして保存させると共に、書換部２２５の動作終了を条件に管理台帳の点検データ、第２記録部２２４の交換等の情報を消去するためのものである。切換部２２８ａ，２２８ｂの切換え指示は、例えば表示部２４の表示画面に第１切換ボタンと第２切換ボタンとを表示させ、第１切換部２２８ａは第１切換ボタンを入力部２５のマウスでクリックすることにより実行され、第２切換部２２８ｂは第２切換ボタンをマウスでクリックすることにより実行されるようになっている。
【００３８】
なお、第３記録部２２７は作成と同時にフラグを立てる等すれば、このフラグを削除しない限り、入力部２５からのデータ書き換えができず、さらにはバックアップ用として機能させるべく台帳自体の削除もできないようにすることができる。
【００３９】
図９、図１０は、実施形態２におけるホストコンピュータ２’の動作を示すフローチャートである。今回点検にあたり管理する全てのスチームトラップを入力部２５より入力することにより、トラップ管理台帳の作成及び第１記録部２２２への登録が行われる（ステップＳ３１）。この後、このトラップリストが測定装置１’へ転送され、点検作業が実行され、所定の処理が施された後、点検データ等が通信部２１’から受信されるが、この際、初回点検か否かが判断され（ステップＳ３２）、初回点検でなければ（ステップＳ３２でＮＯ）、各スチームトラップの診断日付と第１切換部２２８ａ又は第２切換部２２８ｂの動作の最新実行日付との前後関係が比較される（ステップＳ３３）。そして、診断日付が第１切換部２２８ａ又は第２切換部２２８ｂの動作の最新実行日付以前であるときはこの診断日付が異常であるとして表示部２４の表示画面上で警告報知がなされる（ステップＳ３４）。この警告は該当する行を例えば白黒反転表示する等してユーザーにガイドするようにしてもよい。そして、この報知により入力部２５で診断日付の修正が行われ（ステップＳ３５）、次のステップＳ３６に進む。またステップＳ３６において初回点検であるか、あるいは、Ｓ３３において診断日付が第１切換部２２８ａ又は第２切換部２２８ｂの動作の最新実行日付より後であるときは、いずれもステップＳ３６に進む。
【００４０】
ステップＳ３６〜Ｓ４０は実施形態１におけるステップＳ２〜Ｓ６と同一である。次に、今回の点検データをバックアップ用の点検データとして格納するべく第１切換部２２８ａによる切換動作が実行されたか否かがチェックされ（ステップＳ４１）、実行されていないときはステップＳ３９に戻り、実行されたときは実行日付を保存して、次のステップＳ４２に進む。
【００４１】
この第１切換部２２８ａの動作が実行されると、第１記録部２２２に記憶されたトラップ管理台帳が過去の管理台帳として第３記録部２２７に格納される（ステップＳ４２）。以後、ステップＳ４３〜Ｓ５０は、実施形態１におけるステップＳ７〜Ｓ１４と同様である。
【００４２】
そして、ステップＳ５０の次に、今回点検の管理業務が終了し、次回点検のためのトラップ管理台帳を作成するための第２切換部２２８ｂが実行されたか否かがチェックされ（ステップＳ５１）、実行されていない場合にはステップＳ３９に戻り、実行された場合にはその実行日付を保存して、次のステップＳ５２に進む。
【００４３】
この第２切換部２２８ｂによる動作が実行されると、第１記録部２２２に記憶されたトラップ管理台帳における作動判定記録と第２記録部２２４に記憶されたトラップリストとが消去される（ステップＳ５２、Ｓ５３）。次回点検は、上記ステップＳ３１の直後からスタートし、トラップリストが測定装置１’へ転送され、点検作業が実行され、所定の処理が施された後、点検データ等が通信部２１’から受信され、上記ステップＳ３２〜Ｓ５３を繰り返す。
【００４４】
以上のように、実施形態２では、前記切換手段は、第１記録部２２２の記憶内容を第３記録部２２７に格納する第１切換部２２８ａと、第１切換部２２８ａ及び書換部２２５が実行された後に、第１記録部２２２のうちの点検情報部分及び第２記録部２２４の記憶内容を消去する第２切換部２２８ｂとからなることとしているので、集計分析作業を終え、管理台帳を過去の台帳として保管した後も交換等されたスチームトラップの記憶を継続し、それらの情報による管理台帳の更新が可能となる。
【００４５】
さらに、実施形態２では、第１切換部２２８ａ、第２切換部２２８ｂが実行された日付が保持され、測定装置１’は、個々のスチームトラップの作動状態を点検し、点検データを診断日付とともに記録し、かつ、ホストコンピュータ２’と通信可能であって、通信部２１’を介して測定装置１から受信した各スチームトラップの診断記録のうち診断日付が第１切換部２２８ａ、第２切換部２２８ｂによる上記保存された各動作の最新の実行日付以前のときは警告報知するようになっているので、通信部２１’を介して測定装置１’から個々のスチームトラップの診断結果を受信する際、第１切換部２２８ａ、第２切換部２２８ｂが保持している各動作の最新の実行日付より以前の診断日となっている診断結果を受信したときは、そのスチームトラップについて警告報知され、ユーザに診断日の修正等の機会が与えられる。これにより、特に処理器１２のメモリ１２２に前回の点検結果が消去されずに残っている場合、それを無条件に受信して今回点検結果としてしまうことが防止される。
【００４６】
（実施形態３）
図１１は、スチームトラップ管理システムの実施形態３を示すブロック図である。今回点検の管理業務が全て終了した時点で今回点検記録の保存と次回点検のための準備をさらに確実にするためには、上記実施形態２に代えて、実施形態３のように構成することもできる。以下、実施形態３のシステムについて説明する。
【００４７】
本システムは測定装置１’とホストコンピュータ２” とからなり、測定装置１’の管理部１２０は、処理器１２の処理部１２１による処理データである個々のスチームトラップの作動状況の診断結果を内蔵された時計部１２６による診断日付とともにメモリ１２２に記録する日付記録機能１２６ａを有している。
【００４８】
ホストコンピュータ２”の通信部２１’は実施形態１と同様の通信機能に加え、さらに測定装置１’の通信部１２３との通信日付を図略のメモリ部に保存する日付保存機能２１ａ’を有している。またデータ管理部２２”は、少なくとも実施形態１と同様の機能を有する第１入力部２２１と、第１記録部２２２と、第２入力部２２３と、第２記録部２２４とに加え、データ保存用の第３記録部（第３記憶手段）２２７と、スチームトラップの特定情報及び取付箇所を表す配置情報のみを記憶するバッファ用の第４記録部（第４記憶手段）２２９と、第１記録部２２２の記憶内容を第４記録部２２９に複製する第１切換部（複写手段としての機能）２２８ａ’と、集計分析部２３による処理が終了したことを判断する集計分析終了判定部（終了判定手段）２２６と、集計分析終了判定部２２６からの終了判断を受けて、第２記録部２２４に記憶されている変更情報分を第４記録部２２９のリストに付加する書換部（書換手段）２２５’と、集計分析終了判定部２２６からの終了判断を受けて、第１記録部２２２の記憶内容を書換部２２５’の実行前に第３記録部２２７に格納する前記第１切換部（切換手段としての機能）２２８ａ’と、第１切換部２２８’が実行された後に第４記録部２２９の記憶内容で第１記録部２２２の記憶内容を置換する第２切換部（置換手段）２２８ｂとを備え、さらに、日付情報（時間情報）を採用するための時計部２２８ｃと、両切換部２２８ａ’，２２８ｂ’による各動作が実行された日付を保持する実行日付保持機能（実行時間記憶手段）２２８ｄと、通信部２１において測定装置１’から受信した各スチームトラップの診断記録のうち診断日付と両切換部による各動作の最新の実行日付とを比較する日付比較機能（前後判断手段）２２８ｅと、診断日付が両切換部２２８ａ’，２２８ｂ’による各動作の最新の実行日付以前のときは例えば表示部２４での画面表示により警告報知する警告機能（警告手段）２２８ｆとを有している。さらに、ホストコンピュータ２”の管理部２０は、スチームトラップの点検期間中は、書換部２２５’、第１切換部２２８ａ’及び第２切換部２２８ｂ’による各動作の実行を禁止し、スチームトラップの点検期間終了後に各動作を実行させる実行禁止機能２０ａを有している。その他の構成は上記実施形態１と同様であるので、その説明は省略する。
【００４９】
第１切換部２２８ａ’及び第２切換部２２８ｂ’は、上述したように今回点検の管理業務が全て終了した時点で今回点検記録の保存と次回点検のための準備を確実にするため、今回点検記録を過去の点検記録（バックアップ）として第３記録部２２７に保存し、第４記録部２２９に記録された点検情報を持たないトラップリストで第１記録部２２２に記憶されたトラップ管理台帳を置き換えることによりその作動判定記録を消去し、交換等の情報を全て消去するものであって、ここでは第１記録部２２２に記憶されたトラップ管理台帳は、ユーザが自由に決めた名称で特定され、保持されるものとし、ユーザにより次回点検のための管理台帳名の入力が行われる前に上記各動作を実行するものである。すなわち、第１切換部２２８ａ’は、スチームトラップの交換等が点検期間終了前（例えばスチームトラップの点検を全て終了し、集計分析作業を行ったとき）に今回点検記録を確実に保管し、第２切換部２２８ｂ’は、交換等が全て終了したときに次回点検時に存在するスチームトラップのトラップリストを保持する新たなトラップ管理台帳を作成するものである。このため、第１切換部２２８ａ’は、例えば表示部２４での表示画面に第１切換ボタンと第２切換ボタンとを表示させて、この第１切換ボタンを入力部２５のマウスでクリックすることにより行い、また第２切換部２２８ｂ’は、上記第２切換ボタンをマウスでクリックすることにより行う構成となっている。
【００５０】
図１２は、第４記録部２２９に記憶されるトラップリストの一例を示す。図１２に示すように、このトラップリストは上記第１記録部２２２に記憶されるトラップ管理台帳における作動判定記録の部分がないものである。
【００５１】
上記のようなシステム構成によると、検査終了後、測定装置１’のメモリ１２２に記憶されているデータをホストコンピュータ２”に転送すれば、下記のような動作が可能となる。
【００５２】
以下、本システムの動作について説明する。図１３、図１４は、本実施形態３におけるスチームトラップ管理システムの動作を示すフローチャートであって、今回点検にあたり管理する全てのスチームトラップを入力部２５より入力することにより、トラップ管理台帳の作成及び第１記録部２２２への登録が行われる（ステップＳ７１）。この後、このトラップリストが測定装置１’へ転送され、点検作業が実行され、所定の処理が施された後、点検データ等が通信部２１’から受信されるが、この際、初回点検か否かが判断され（ステップＳ７２）、初回点検でなければ（ステップＳ７２でＮＯ）、各スチームトラップの診断日付と第１切換部２２８ａ’又は第２切換部２２８ｂ’の動作の最新実行日付との前後関係が比較される（ステップＳ７３）。そして、診断日付が第１切換部２２８ａ’又は第２切換部２２８ｂ’の動作の最新実行日付以前であるときはこの診断日付が異常であるとして表示部２４の表示画面上で警告報知がなされる（ステップＳ７４）。この警告は該当する行を例えば白黒反転表示する等してユーザーにガイドするようにしてもよい。そして、この報知により入力部２５で診断日付の修正が行われ（ステップＳ７５）、次のステップＳ７６に進む。またステップＳ７２において初回点検であるか、あるいは、Ｓ７３において診断日付が第１切換部２２８ａ’又は第２切換部２２８ｂ’の動作の最新実行日付より後であるときは、いずれもステップＳ７６に進む。
【００５３】
ステップＳ７６〜Ｓ８０は実施形態１におけるステップＳ２〜Ｓ６と同一である。次に、今回点検記録を過去の点検記録とする第１切換部２２８ａ’が実行されたか否かがチェックされ（ステップＳ８１）、実行されていないと判断された場合にはステップＳ７９に戻るが、実行されたと判断された場合にはその実行日付を保存して次のステップＳ８２に進む。
【００５４】
この動作が実行されると、引き続き第１記録部２２２に記録されたトラップ管理台帳が過去の管理台帳として第３記録部２２７に格納される（ステップＳ８２）。
【００５５】
以後、ステップＳ８３〜９２は、第１記録部２２２が第４記録部２２９となる点を除き、上記実施形態１におけるステップＳ５〜Ｓ１４と同様である。
【００５６】
そして、ステップＳ９２の次に、今回点検の管理業務が終了し、次回点検のための台帳を作成するための第２切換部２２８ｂ’が実行されたか否かがチェックされ（ステップＳ９３）、実行されていないと判断された場合にはステップＳ８３に戻るが、実行されたと判断された場合にはその実行日付を保存して次のステップＳ９４に進む。
【００５７】
この第２切換部２２８ｂ’による動作が実行されると、まず上記実施形態１と同様に交換等されたスチームトラップのための処理が行われ（ステップＳ９４〜Ｓ１００）、その後第１記録部２２２に記録されたトラップ管理台帳の特定情報が第４記録部２２９に記憶されたトラップリストの特定情報に書き換えられ、両記録部の特定情報及び配置情報が同じとされかつ第１記録部２２２に記録されたトラップ管理台帳の作動判定記録が消去される（ステップＳ１０１）。次回点検は、上記ステップＳ７１の直後からスタートし、トラップリストが測定装置１’へ転送され、点検作業が実行され、所定の処理が施された後、点検データ等が通信部２１’から受信され、上記ステップＳ７２〜Ｓ１０１を繰り返す。
【００５８】
このシステムでは、管理期間を点検中と点検終了の２つに分けることで、かつスチームトラップの管理台帳を点検中に更新可能な管理台帳（第１記録部）と点検開始時点に存在するスチームトラップの情報を保持する台帳（第４記録部）の２つに分けることで、点検中はスチームトラップの点検による管理台帳の更新、及び交換等による新たなスチームトラップの登録を行い、点検終了期間へ移行する時点で、両台帳を比較することにより、点検中に更新された管理台帳への入力ミス等の有無をチェックし、修正できる点で、上記実施形態２に比べより確実な管理を実現するものである。点検終了期間に入ると、次回点検のための管理台帳の作成を確実に行うため、交換等が発生する度に交換後の情報を記録していく。
【００５９】
したがって、スチームトラップの交換等がいつ行われても、点検開始時において現存するスチームトラップの確かな情報を保持した管理台帳等を得ることができ、点検作業時のトラブルや、各点検期間について間違った点検記録を保存するといった問題が回避できる。
【００６０】
なお、上記実施形態１〜３では、測定装置１（１’）とスチームトラップ管理装置の一例であるホストコンピュータ２（２’、２”）とで構成されるスチームトラップ管理システムについて説明したが、本発明の適用範囲はこれに限らず、ホストコンピュータ２等で実行する各種処理を測定装置１側で行わせるようにすることもできる。
【００６１】
また、上記実施形態２、３では、診断日付が異常であるか否かを判断し、異常であると判断されたときに表示部２４の画面表示により警告報知を行うこととしたが、警報音を発することとしてもよい。また、診断日付を表示部２４で表示してユーザが確認することのみとしてもよい。さらに、通信部２１’に保存している受信日付を利用して上記診断日付の異常判断をすることとしてもよい。
【００６２】
また、上記実施形態１〜３において、図２（図８、図１１）に示したように、書換部２２５（２２５’）は第２入力部２２３と別体で構成してもよいが、第２入力部は書換部を内蔵するものとしてもよい。さらに上記実施形態２、３において、第１切換部２２８ａ、２２８ａ’及び第２切換部２２８ｂ、２２８ｂ’は、それらに関する諸機能（２２８ｄ〜２２８ｆ）を有するものとしてもよいが、別体で構成してもよい。例えば、診断日付の異常判断機能を通信部２１’に持たせることとしてもよい。
【００６３】
【発明の効果】
請求項１によれば、交換等がいつ実施されても今回点検記録を保持する管理台帳を変更することなく、速やかに交換等後の情報を記録することができる。
【００６４】
請求項２によれば、今回点検の管理台帳を外部から変更できない過去の管理台帳（バックアップ）として第３記憶手段に確実に保持することができるとともに、今回点検の作動判定記録が混在したままで次回点検の集計分析処理が行われることを回避することができる。
【００６５】
請求項３によれば、集計分析作業を終え、管理台帳を過去の台帳として保管した後も交換等されたスチームトラップの記憶を継続し、それらの情報による管理台帳の更新を行うことができる。
【００６６】
請求項４によれば、上記切換手段による各動作の実行された日付を容易に確認できる。
【００６７】
請求項５によれば、特に測定装置に前回の点検結果が消去されずに残っている場合、それを無条件に受信して今回点検結果としてしまうことを防止することができる。
【００６８】
請求項６によれば、スチームトラップの交換等が行われても点検開始時点に点検対象となっていた全てのスチームトラップの情報及びそれらの診断記録が書き換えられないよう、交換等後のスチームトラップの情報が、管理台帳とは異なる別の台帳にて保持したままとすることができる。そして、交換作業が全て終了した時点で、その点検で得た記録を含む管理台帳を保存し、交換等による新しいスチームトラップの情報で管理台帳の更新を行うことができる。
【００６９】
請求項７によれば、上記切換手段による各動作の実行された日付を容易に確認できる。
【００７０】
請求項８記載によれば、特に測定装置に前回の点検結果が消去されずに残っている場合、それを無条件に受信して今回点検結果としてしまうことを防止することができる。
【図面の簡単な説明】
【図１】本発明に係るスチームトラップ管理装置を含むシステムを示す斜視概略図である。
【図２】スチームトラップ管理システムの実施形態１を示すブロック図である。
【図３】スチームトラップの管理台帳の一例を示す図である。
【図４】スチームトラップの更新リストの一例を示す図である。
【図５】スチームトラップの撤去リストの一例を示す図である。
【図６】スチームトラップの更新された管理台帳の一例を示す図である。
【図７】実施形態１におけるスチームトラップ管理システムの動作を示すフローチャートである。
【図８】スチームトラップ管理システムの実施形態２を示すブロック図である。
【図９】実施形態２におけるスチームトラップ管理システムの動作を示すフローチャートである。
【図１０】実施形態２におけるスチームトラップ管理システムの動作を示すフローチャートである。
【図１１】スチームトラップ管理システムの実施形態３を示すブロック図である。
【図１２】第４記録部に記憶されるトラップリストの一例を示す図である。
【図１３】実施形態３におけるスチームトラップ管理システムの動作を示すフローチャートである。
【図１４】実施形態３におけるスチームトラップ管理システムの動作を示すフローチャートである。
【符号の説明】
１、１’  測定装置
１１  計測器
１２  処理器
１２０  管理部
１２１  処理部
１２２  メモリ
１２３  通信部
１２４  入力部
１２５  表示部
１２６  時計部
１２６ａ  時計部日付記録機能
２、２’、２”  ホストコンピュータ（スチームトラップ管理装置）
２０  管理部
２０ａ  管理部の実行禁止機能
２１、２１’  通信部
２１ａ’  通信部の日付保持機能
２２、２２’、２２”  データ管理部
２２１  第１入力部
２２２  第１記録部（第１記憶手段）
２２３  第２入力部
２２４  第２記録部（第２記憶手段）
２２５、２２５’  書換部（書換手段）
２２６  集計分析終了判定部（終了判定手段）
２２７  第３記録部（第３記憶手段）
２２８ａ、２２８ａ’  第１切換部（切換手段、第１切換手段、複写手段）
２２８ｂ、２２８ｂ’  第２切換部（切換手段、第２切換手段、置換手段）
２２８ｃ  時計部（計時手段）
２２８ｄ  切換部の実行日付保持機能（実行時間記憶手段）
２２８ｅ  切換部の日付比較機能
２２８ｆ  切換部の警告機能（警告手段）
２２９  第４記録部（第４記憶手段）
２３  集計分析部
２４  表示部
２５  入力部
【図１】
0004041265.tif 000002
【図２】
0004041265.tif 000003
【図３】
0004041265.tif 000004
【図４】
0004041265.tif 000005
【図５】
0004041265.tif 000006
【図６】
0004041265.tif 000007
【図７】
0004041265.tif 000008
【図８】
0004041265.tif 000009
【図９】
0004041265.tif 000010
【図１０】
0004041265.tif 000011
【図１１】
0004041265.tif 000012
【図１２】
0004041265.tif 000013
【図１３】
0004041265.tif 000014
【図１４】
0004041265.tif 000015